(57)【要約】【課題】一般的なボルトを使用しても、ナットの締め付け作業を容易にできる屋根化粧パネル取付金具を提供する。【解決手段】  屋根材Ｙに取付ける取付部材２と、屋根化粧パネルＰを取付けるパネル受部材１とを略直交状態にし、両部材１、２をボルト５、ナット３で締付けて連結固定してなる構造の屋根化粧パネル取付金具において、上記パネル受部材１又は取付部材２の一方には、ボルト軸部５２が貫通されるボルト孔２４が形成されており、このボルト孔２４の近傍には、ボルト頭部５１側に向けて突出された回転防止凸部２６を形成する。【選択図】図１
2006009275.tif 000002
【特許請求の範囲】
【請求項１】
屋根材に取付ける取付部材と、屋根化粧パネルを取付けるパネル受部材とを略直交状態にし、両部材をボルト、ナットで締付けて連結固定してなる構造の屋根化粧パネル取付金具において、
上記パネル受部材又は取付部材の一方には、ボルト軸部が貫通されるボルト孔が形成されており、このボルト孔の近傍には、ボルト頭部側に向けて突出された回転防止凸部を形成したことを特徴とする屋根化粧パネル取付金具。
【請求項２】
請求項１において、
パネル受部材又は取付部材の一方が、断面Ｌ状の長尺杆体から成り、この断面Ｌ状の一片にボルト孔が形成されると共に、ボルト頭部側に向けて突出された他片を回転防止凸部としたことを特徴とする屋根化粧パネル取付金具。
【請求項３】
請求項１において、
パネル受部材又は取付部材の一方が、断面Ｌ状の長尺杆体から成り、この断面Ｌ状の一片にボルト孔が形成されると共に、前記一片の一部をボルト頭部側に向けて突出させて回転防止凸部を形成したことを特徴とする屋根化粧パネル取付金具。
【請求項４】
請求項１において、
パネル受部材又は取付部材の一方が、断面Ｌ状の長尺杆体から成り、この断面Ｌ状の一片にボルト孔が形成されると共に、ボルト頭部側に向けて突出された他片を回転防止凸部とし、且つ、上記一片の一部を上記ボルト頭部側に向けて突出させて回転防止凸部を更に形成したことを特徴とする屋根化粧パネル取付金具。
【請求項５】
請求項１〜４の何れかにおいて、
ボルト孔の近傍には、貫通されたボルトを抜け止めする抜け防止部を形成したことを特徴とする屋根化粧パネル取付金具。
【請求項６】
請求項５において、
抜け防止部は、貫通されたボルトのボルト頭部を抜け止めすることを特徴とする屋根化粧パネル取付金具。
【請求項７】
請求項５において、
抜け防止部は、貫通されたボルトのボルト軸部を抜け止めすることを特徴とする屋根化粧パネル取付金具。
【発明の詳細な説明】
【技術分野】
【０００１】
本発明は、屋根材に取付ける取付部材と、屋根化粧パネルを取付けるパネル受部材とを略直交状態にし、両部材をボルト、ナットで締付けて連結固定してなる構造の屋根化粧パネル取付金具に関する。
【背景技術】
【０００２】
従来、屋根材に取付ける取付部材と、屋根化粧パネルを取付けるパネル受部材とを略直交状態にし、両部材をボルト、ナットで締付けて連結固定してなる様々な構造の屋根化粧パネル取付金具はあった。
【０００３】
例えば、屋根材に取付ける断面Ｌ状の長尺杆体からなる取付部材と、屋根化粧パネルを取付ける断面Ｌ状の長尺杆体のパネル受部材とから成り、上記パネル受部材又は取付部材の一方には、段付きボルトのボルト軸を貫通し、且つ、ボルト軸基端に形成された角形段部を嵌合する角孔が形成され、他方には、角孔に重合される長孔を形成した屋根化粧パネル取付金具があった（例えば、特許文献１参照。）。
【０００４】
そして、上記角孔と、長孔とを重合して、角孔から長孔に向けて段付きボルトのボルト軸を貫通して、その角形段部を角孔に嵌合させ、ボルト軸の先端からナットを締め付けて、パネル受部材を取付部材の先端に略直交状態にして連結固定するのである。
【特許文献１】実用新案登録第３０２８０６４号
【発明の開示】
【発明が解決しようとする課題】
【０００５】
従来の屋根化粧パネル取付金具では、段付きボルトを使用し、上記パネル受部材又は取付部材の一方には、段付きボルトのボルト軸基端の角形段部を嵌合する角孔を形成しており、上記段付きボルトは、ナットとの共回りを防止して、ナットの締め付けを容易にできる点で優れている。
【０００６】
しかしながら、上記段付きボルトは、一般的なボルトとは異なる特殊な形状のボルトであるため、コストが高いという問題があった。
【０００７】
一方、一般的なボルトを使用すれば、上記コストの問題は解決できるが、その締付け作業の際に、ボルトとナットが共回りして、ナットを締め付け難いという問題が生じる。
【０００８】
本発明は、かかる課題を解決することを目的とするもので、一般的なボルトを使用しても、ナットの締め付け作業が容易にできる屋根化粧パネル取付金具を提供する。
【課題を解決するための手段】
【０００９】
上記目的を達成するため、
請求項１に係る屋根化粧パネル取付金具は、屋根材に取付ける取付部材と、屋根化粧パネルを取付けるパネル受部材とを略直交状態にし、両部材をボルト、ナットで締付けて連結固定してなる構造の屋根化粧パネル取付金具において、上記パネル受部材又は取付部材の一方には、ボルト軸部が貫通されるボルト孔が形成されており、このボルト孔の近傍には、ボルト頭部側に向けて突出された回転防止凸部を形成したことを特徴とする。
【００１０】
このものでは、回転防止凸部によってボルト頭部の回転が規制され、一般的なボルトを使用しても、ナットの締め付け作業を容易にできる。
【００１１】
請求項２に係る屋根化粧パネル取付金具は、請求項１において、パネル受部材又は取付部材の一方が、断面Ｌ状の長尺杆体から成り、この断面Ｌ状の一片にボルト孔が形成されると共に、ボルト頭部側に向けて突出された他片を回転防止凸部としたことを特徴とする。
【００１２】
このものでは、パネル受部材又は取付部材を断面Ｌ状に形成しており、そのＬ状の一片にボルト孔を形成すると共に、他片を回転防止凸部として利用できる。
【００１３】
請求項３に係る屋根化粧パネル取付金具は、請求項１において、パネル受部材又は取付部材の一方が、断面Ｌ状の長尺杆体から成り、この断面Ｌ状の一片にボルト孔が形成されると共に、前記一片の一部をボルト頭部側に向けて突出させて回転防止凸部を形成したことを特徴とする。
【００１４】
このものでは、パネル受部材又は取付部材を断面Ｌ状に形成しており、そのＬ状の一片にボルト孔を形成すると共に、この一片の一部をボルト頭部側に向けて突出させることで回転防止凸部を形成している。
【００１５】
請求項４に係る屋根化粧パネル取付金具は、請求項１において、パネル受部材又は取付部材の一方が、断面Ｌ状の長尺杆体から成り、この断面Ｌ状の一片にボルト孔が形成されると共に、ボルト頭部側に向けて突出された他片を回転防止凸部とし、且つ、上記一片の一部を上記ボルト頭部側に向けて突出させて回転防止凸部を更に形成したことを特徴とする。
【００１６】
このものでは、請求項２と請求項３の回転防止凸部を組み合わせた構造のもので、パネル受部材又は取付部材を断面Ｌ状に形成しており、そのＬ状の一片にボルト孔を形成すると共に、他片を回転防止凸部として利用している。加えて、ボルト孔を形成した上記一片の一部には、ボルト頭部側に向けて他の回転防止凸部を形成し、ボルト頭部の回転を確実に規制できる。
【００１７】
請求項５に係る屋根化粧パネル取付金具は、請求項１〜４の何れかにおいて、ボルト孔の近傍には、貫通されたボルトを抜け止めする抜け防止部を形成したことを特徴とする。
【００１８】
このものでは、回転防止凸部によってボルト、ナットの共回りを防止するだけではなく、更に、抜け防止部を形成して、ボルト孔に貫通された後のボルトの抜け止めをも防止できる。
【００１９】
請求項６に係る屋根化粧パネル取付金具は、請求項５において、抜け防止部は、貫通されたボルトのボルト頭部を抜け止めすることを特徴とする。
【００２０】
このものでは、抜け防止部によって、ボルト頭部を抜け止めできる。
【００２１】
請求項７に係る屋根化粧パネル取付金具は、請求項５において、抜け防止部は、貫通されたボルトのボルト軸部を抜け止めすることを特徴とする。
【００２２】
このものでは、抜け防止部によって、ボルト軸部を抜け止めできる。
【発明の効果】
【００２３】
本発明によれば、次のような効果がある。
【００２４】
請求項１に係る屋根化粧パネル取付金具によれば、回転防止凸部によってボルト頭部の回転が規制され、一般的なボルトを使用しても、ナットの締め付け作業を容易にできる。
【００２５】
請求項２に係る屋根化粧パネル取付金具によれば、パネル受部材又は取付部材を断面Ｌ状に形成しており、そのＬ状の一片にボルト孔を形成すると共に、他片を回転防止凸部として利用できる。
【００２６】
請求項３に係る屋根化粧パネル取付金具によれば、パネル受部材又は取付部材を断面Ｌ状に形成しており、そのＬ状の一片にボルト孔を形成すると共に、この一片の一部をボルト頭部側に向けて突出させることで回転防止凸部を形成できる。
【００２７】
請求項４に係る屋根化粧パネル取付金具によれば、パネル受部材又は取付部材を断面Ｌ状に形成しており、そのＬ状の一片にボルト孔を形成すると共に、他片を回転防止凸部として利用している。加えて、ボルト孔を形成した上記一片の一部には、ボルト頭部側に向けて他の回転防止凸部を形成し、ボルト頭部の回転を確実に規制できる。
【００２８】
請求項５に係る屋根化粧パネル取付金具によれば、回転防止凸部によってボルト、ナットの共回りを防止するだけではなく、更に、抜け防止部を形成して、ボルト孔に貫通された後のボルトの抜け止めをも防止できる。
【００２９】
請求項６に係る屋根化粧パネル取付金具によれば、抜け防止部によって、ボルト頭部を抜け止めできる。
【００３０】
請求項７に係る屋根化粧パネル取付金具によれば、抜け防止部によって、ボルト軸部を抜け止めできる。
【発明を実施するための最良の形態】
【００３１】
以下、本発明に係る屋根化粧パネル取付金具Ａを図面に基づき説明する。
【実施例１】
【００３２】
図１は、本発明に係る屋根化粧パネル取付金具Ａの一実施例を示す使用状態図、図２は、本発明に係る屋根化粧パネル取付金具Ａの一実施例を示す分解斜視図、図３は、図２を組み合わせた状態を示す斜視図である。
【００３３】
この屋根化粧パネル取付金具Ａは、屋根化粧パネルＰを取付けるためのパネル受部材１と、このパネル受部材１を屋根材Ｙに固定するための取付部材２とを、一般的な六角ボルト５とナット３で連結するものである。
【００３４】
屋根化粧パネルＰは、従来同様、金属板、合成樹脂板等で形成されており、その上下端には、パネル受部材１に係止される上、下折縁Ｐ１を形成している。
【００３５】
パネル受部材１は、屋根化粧パネルＰに応じて、これを取付可能な形状であれば良いが、本実施例では、屋根化粧パネルＰの上、下折縁Ｐ１を係止するために、両端面に屋根化粧パネルＰの上、下折縁Ｐ１を受止固定する受止折曲片１１が形成されたアングル材を例示している。
【００３６】
また、パネル受部材１の側面には、長手方向に向けて片部１２を形成しており、この片部１２には、取付け高さを調節するための長孔１３を、略中央から一端側に向けて形成している。
【００３７】
更に、パネル受部材１の連結端、すなわち、長孔１３が形成された一端側の受止折曲片１１と、片部１２との間には、取付部材２の肉厚よりもやや大きいスリット開口１４を形している。
【００３８】
また、長孔１３の長手方向に沿って、パネル受部材１の高さ位置が識別可能な目盛等の目印部（不図示）を形成しても良く、このような目印部を形成することで、例えば、施工組立状態に起立されたパネル受部材１の高さ位置を、容易に識別して、施工作業を軽減できる。
【００３９】
取付部材２は、屋根材Ｙに固定可能であって、且つ、パネル受部材１に折畳可能な形状であれば良いが、本実施例では、一片２１と他片２２からなる断面Ｌ状の長尺杆体（アングル材）を例示している。
【００４０】
この取付部材２の他片２２には、屋根材Ｙにボルト等の固定具Ｋを挿通するための複数の取付孔２３を適所に形成している。
【００４１】
また、取付部材２の一片２１の先端側には、パネル受部材１の長孔１３に重合され、且つ、ボルト５のボルト軸部５２が貫通するボルト孔２４を形成している。
【００４２】
また、取付部材２の一片２１の適所には、パネル受部材１の長孔１３に係止されるか、或いは、パネル受部材１の片部１２の側縁１２ａに係止される係止部２５を形成している。
【００４３】
ここで、係止部２５は、パネル受部材１と取付部材２が梱包収納状態のときに、パネル受部材１の長孔１３に係止されるか、或いは、パネル受部材１の片部１２の側縁１２ａに係止されるものであれば良く、ここでは、パネル受部材１の長孔１３と係脱可能な凸状の係止部２５を示している。
【００４４】
この取付部材２のボルト孔２４の近傍には、ボルト頭部５１側に向けて突出された回転防止凸部２６を形成している。
【００４５】
ここで、図４（ａ）〜（ｆ）は、本発明に係る回転防止凸部２６の一例を示すもので、回転防止凸部を取付部材の先端側から見た状態の要部概略図である。
【００４６】
図４（ａ）の回転防止凸部２６は、ボルト孔２４の近傍をボルト頭部５１側に向けて湾曲させて突出形成したものであり、この回転防止凸部２６の側面でボルト頭部５１を回転規制するものである。
【００４７】
図４（ｂ）の回転防止凸部２６は、ボルト孔２４の近傍をボルト頭部５１側に向けて片側に傾斜させて突出形成したものであり、この回転防止凸部２６の側面でボルト頭部５１を回転規制するものである。
【００４８】
図４（ｃ）の回転防止凸部２６は、ボルト孔２４の近傍をボルト頭部５１側に向けてＬ状に突出形成したものであり、この回転防止凸部２６の側面でボルト頭部５１を回転規制するものである。
【００４９】
図４（ｄ）の回転防止凸部２６は、ボルト孔２４の近傍をボルト頭部５１側に向けてＩ状に突出形成したものであり、この回転防止凸部２６の側面でボルト頭部５１を回転規制するものである。
【００５０】
図４（ｅ）の回転防止凸部２６は、ボルト孔２４の近傍をボルト頭部５１側に向けて山状に突出形成したものであり、この回転防止凸部２６の側面でボルト頭部５１を回転規制するものである。
【００５１】
図４（ｆ）の回転防止凸部２６は、ボルト孔２４の近傍をボルト頭部５１側に向けてアーチ状に突出形成したものであり、この回転防止凸部２６の側面でボルト頭部５１を回転規制するものである。
【００５２】
このように形成した屋根化粧パネル取付金具Ａは、屋根材Ｙの適所に取付部材２の他片２２を配置し、これを固定具Ｋを用いて屋根材Ｙに固定する。
【００５３】
次いで、パネル受部材１の端部を上方から軽く叩くなどして、長孔１３と係止部２５との係止を離脱し、図３中の矢印に示すように回転させて、パネル受部材１を鉛直方向に向けて起立させる。
【００５４】
ここで、図３では、パネル受部材１と取付部材２を仮組みされた状態のものを示しているが、両者が完全に分離されている場合には、先ず、パネル受部材１の長孔１３と、取付部材２のボルト孔２４を重合させ、このボルト孔２４側から長孔１３に向けてボルト軸５２を貫通し、この貫通されたボルト軸５２の先端側からナット３を螺合すれば良い。
【００５５】
何れの場合でも、ナット３を締め付けたときには、ボルト５のボルト頭部５１は、その側面が回転防止凸部２６に当接して、回転を規制されるため、ナット３との共回りが防止され、ナット３を容易に締め付けることができる。
【００５６】
しかして、パネル受部材１と取付部材２は、図１で示すように、屋根材Ｙに固定された取付部材２に対してパネル受部材１を略直交状態として、両部材をボルト５、ナット３で締付けて連結固定し、その後、パネル受部材１に屋根化粧パネルＰを取付けるのである。
【００５７】
なお、パネル受部材１が、図３で示すような梱包収納状態のときには、ボルト５、ナット３の締付けを弛めて、パネル受部材１の長孔１３に係止されるため、パネル受部材１と取付部材２が動くことがなく、この梱包収納状態を仮保持できるが、このとき、ナット３を締め付けても、ボルト頭部５１は回転防止凸部２６に当接して、回転を規制されるため、ナット３との共回りが防止され、その梱包収納状態を確実に保持できる。
【実施例２】
【００５８】
図５は、本発明の回転防止凸部の他の実施例を示す部分拡大図であり、図５（ａ）は、平面から見た状態の部分拡大図、図５（ｂ）は、側面から見た状態の部分拡大断面図である。
【００５９】
なお、図１〜図４と共通する部位には、共通の番号を付し、その説明は省略する。
【００６０】
この屋根化粧パネル取付金具Ａは、取付部材２が断面Ｌ状の長尺杆体から成り、この断面Ｌ状の一片２１にボルト孔２４が形成されると共に、ボルト頭部５１側に向けて突出された他片２２を回転防止凸部２６とした点に特徴がある。
【００６１】
このものでは、一般的なボルト頭部５１の直径に応じて、ボルト孔２４の位置を形成するだけで、簡単に他片２２を回転防止凸部２６として利用することができる。
【００６２】
図６は、本発明の回転防止凸部の更に他の実施例を示す部分拡大図であり、図６（ａ）は、平面から見た状態の部分拡大図、図６（ｂ）は、側面から見た状態の部分拡大図である。
【００６３】
なお、図１〜図５と共通する部位には、共通の番号を付し、その説明は省略する。
【００６４】
この屋根化粧パネル取付金具Ａは、取付部材２が断面Ｌ状の長尺杆体から成り、この断面Ｌ状の一片２１にボルト孔２４が形成されると共に、前記一片２１の一部の端縁をボルト頭部５１側に向けて折り曲げて突出させて回転防止凸部２６を形成した点に特徴がある。
【００６５】
図６の左図は、一片２１の一部の側端縁を、ボルト頭部５１側に向けて折り曲げて回転防止凸部２６を形成したものを示し、図６の右図は、一片２１の一部の前端縁を、ボルト頭部５１側に向けて折り曲げて回転防止凸部２６を形成したものを示している。
【００６６】
このような回転防止凸部２６によれば、一般的なボルト頭部５１の直径に応じて、一片２１の一部の端縁を折り曲げ加工するだけで、簡単に回転防止凸部２６を形成できる。
【００６７】
図７は、複数の回転防止凸部を設けた一例を示す部分拡大図であり、図７（ａ）は、平面から見た状態の部分拡大図、図７（ｂ）は、側面から見た状態の部分拡大断面図である。
【００６８】
なお、図１〜図６と共通する部位には、共通の番号を付し、その説明は省略する。
【００６９】
この屋根化粧パネル取付金具Ａは、取付部材２が断面Ｌ状の長尺杆体から成り、この断面Ｌ状の一片２１にボルト孔２４が形成されると共に、このボルト孔２４の前、後の一部をボルト頭部５１側に向けて折り曲げて突出させて回転防止凸部２６を複数形成した点に特徴がある。
【００７０】
このものでは、一般的なボルト頭部５１が複数の回転防止凸部２６に当接して、その回転が規制されるため、ナット３（不図示）との共回りを確実に防止できる。
【００７１】
図８は、図５及び図６（ａ）で示した回転防止凸部２６を組み合わせた実施例を示す部分拡大図であり、図８（ａ）は、平面から見た状態の部分拡大図、図８（ｂ）は、側面から見た状態の部分拡大断面図である。
【００７２】
この屋根化粧パネル取付金具Ａは、取付部材２が断面Ｌ状の長尺杆体から成り、この断面Ｌ状の一片２１にボルト孔２４が形成されると共に、ボルト頭部５１側に向けて突出された他片２２を回転防止凸部２６とし、且つ、一片２１の一部の側端縁をボルト頭部５１側に向けて折り曲げて回転防止凸部２６を形成したことを特徴とする。
【００７３】
このような回転防止凸部２６によれば、断面Ｌ状の他片２２を利用できるうえ、一般的なボルト頭部５１も複数の回転防止凸部２６に当接して、その回転が規制されるため、ナット３（不図示）との共回りを確実に防止できる。
【実施例３】
【００７４】
図９〜図１１は、本発明に係る屋根化粧パネル取付金具Ａの更に他の実施例を示す要部の部分拡大図である。
【００７５】
これらの屋根化粧パネル取付金具Ａは、上記図１〜図８で示された回転防止凸部２６に加えて、ボルト孔２４の近傍に、貫通されたボルト５を抜け止めする抜け防止部２７を更に形成したことを特徴とするものである。
【００７６】
なお、図９〜図１１では、図７で示された回転防止凸部２６に、抜け防止部２７を更に設けた場合を例示しているが、これに限定されないことは勿論である。
【００７７】
また、図１〜図８と共通する部位には、共通の番号を付し、その説明は省略する。
【００７８】
図９は、抜け防止部２７の一例を示す部分拡大図であり、図９（ａ）は、平面から見た状態の部分拡大図、図９（ｂ）は、側面から見た状態の部分拡大断面図である。
【００７９】
この屋根化粧パネル取付金具Ａは、ボルト孔２４の前、後に形成された回転防止凸部２６の端縁を更に延設し、この延設された片を抜け防止部２７として用いるものである。
【００８０】
すなわち、この抜け防止部２７は、図７同様にして、ボルト頭部５１を回転防止凸部２６で回転規制し、共回りを防止した後、図中破線で示すように、抜け防止部２７をボルト頭部５１に向けて折り曲げて、貫通されたボルト５のボルト頭部５１を抜け止めするものである。
【００８１】
図１０は、抜け防止部２７の他の例を示す部分拡大図であり、図１０（ａ）は、平面から見た状態の部分拡大図、図１０（ｂ）は、側面から見た状態の部分拡大断面図である。
【００８２】
この抜け防止部２７は、図９同様、ボルト頭部５１の抜け止めを行うものであるが、その構造が図９とは異なる。
【００８３】
図１０の左図は、ボルト孔２４の前、後に形成された回転防止凸部２６の上部に、弾性力を備えた片を内側に向けて突出させて、抜け防止部２７を形成したものを示し、図１０の右図は、ボルト孔２４の前、後に形成された回転防止凸部２６の上端を内側に向けて折り返して弾性力を備えた抜け防止部２７を形成したものを示している。
【００８４】
これら抜け防止部２７は、何れも弾性を備えており、ボルト５をボルト孔２４に貫通する際には、ボルト頭部５１が、先ず、抜け防止部２７に当接する。そのうえで、ボルト頭部５１を圧入すれば、抜け防止部２７を押し広げながら、ボルト頭部５１が図のように嵌り込み、回転防止凸部２６によって回転規制される構造にしたものである。
【００８５】
図１１は、抜け防止部２７の更に他の例を示す部分拡大図であり、図１１（ａ）は、平面から見た状態の部分拡大図、図１１（ｂ）は、側面から見た状態の部分拡大断面図である。
【００８６】
この抜け防止部２７は、貫通されたボルト５のボルト軸部５２を抜け止めする点に特徴がある。
【００８７】
すなわち、この抜け防止部２７は、断面Ｌ状の一片２１に形成されたボルト孔２４に、複数の切込みを放射状に形成し、この切込みの間に弾性片を形成したものである。
【００８８】
この抜け防止部２７は、ボルト５をボルト孔２４に貫通する際には、ボルト軸部５２が、先ず、抜け防止部２７に当接する。そのうえで、ボルト軸部５２を圧入すれば、図に示すように、抜け防止部２７を押し広げながら、ボルト軸部５２に係止されて抜け防止を行うと共に、回転防止凸部２６によってボルト頭部５１が回転規制される構造にしたものである。
【００８９】
これら図９〜図１１で示された屋根化粧パネル取付金具Ａによれば、回転防止凸部２６によってボルト５、ナット３（不図示）の共回りを防止するだけではなく、更に、抜け防止部２７を形成して、ボルト孔２４に貫通された後のボルト頭部５１或いはボルト軸部５２の抜け防止も同時に行うことができる。
【産業上の利用可能性】
【００９０】
本発明は、屋根化粧パネル取付金具として有効に利用することが可能である。
【図面の簡単な説明】
【００９１】
【図１】本発明に係る屋根化粧パネル取付金具の一実施例を示す使用状態図である。
【図２】本発明に係る屋根化粧パネル取付金具の一実施例を示す分解斜視図である。
【図３】図２を組み合わせた状態を示す斜視図である。
【図４】（ａ）〜（ｆ）は、本発明に係る回転防止凸部の一例を示すもので、回転防止凸部を取付部材の先端側から見た状態の要部概略図である。
【図５】本発明の回転防止凸部の他の実施例を示す部分拡大図であり、図５（ａ）は、平面から見た状態の部分拡大図、図５（ｂ）は、側面から見た状態の部分拡大断面図である。
【図６】本発明の回転防止凸部の更に他の実施例を示す部分拡大図であり、図６（ａ）は、平面から見た状態の部分拡大図、図６（ｂ）は、側面から見た状態の部分拡大断面図、部分拡大図である。
【図７】複数の回転防止凸部を設けた一例を示す部分拡大図であり、図７（ａ）は、平面から見た状態の部分拡大図、図７（ｂ）は、側面から見た状態の部分拡大断面図である。
【図８】図７は、図５及び図６（ａ）で示した回転防止凸部を組み合わせた実施例を示す部分拡大図であり、図８（ａ）は、平面から見た状態の部分拡大図、図８（ｂ）は、側面から見た状態の部分拡大断面図である。
【図９】本発明に係る抜け防止部の一例を示す部分拡大図であり、図９（ａ）は、平面から見た状態の部分拡大図、図９（ｂ）は、側面から見た状態の部分拡大断面図である。
【図１０】本発明に係る抜け防止部の他の例を示す部分拡大図であり、図１０（ａ）は、平面から見た状態の部分拡大図、図１０（ｂ）は、側面から見た状態の部分拡大断面図である。
【図１１】本発明に係る抜け防止部の更に他の例を示す部分拡大図であり、図１１（ａ）は、平面から見た状態の部分拡大図、図１１（ｂ）は、側面から見た状態の部分拡大断面図である。
【符号の説明】
【００９２】
Ａ      屋根化粧パネル取付金具 
Ｐ      屋根化粧パネル
Ｐ１    上、下折縁
Ｙ      屋根材
１      パネル受部材
２      取付部材
２４    ボルト孔
２６    回転防止凸部
２７    抜け防止部
３      ナット
５      ボルト
５１    ボルト頭部
５２    ボルト軸部
【図１】
2006009275.tif 000003
【図２】
2006009275.tif 000004
【図３】
2006009275.tif 000005
【図４】
2006009275.tif 000006
【図５】
2006009275.tif 000007
【図６】
2006009275.tif 000008
【図７】
2006009275.tif 000009
【図８】
2006009275.tif 000010
【図９】
2006009275.tif 000011
【図１０】
2006009275.tif 000012
【図１１】
2006009275.tif 000013